(57)【要約】【課題】ＷＤＭ伝送による光通信システムにおいて、光信号を受光した後に対数変換された受信信号から、変調信号を正確に検出する変調信号検出方法、光通信用変調信号検出装置、及び光通信システムを提供する。【解決手段】本発明の変調信号検出方法では、ステップＳ３で対数変換された信号を平均化して直流成分を抽出するとともに、ステップＳ４で直流成分を除いた交流成分を抽出している。そして、ステップＳ５及びステップＳ７でそれぞれを逆対数変換して光信号のパワーと相対変動成分とを算出している。ステップＳ６で相対変動成分から１を減算し、これにステップＳ８で光信号の平均パワーを掛けることで、パイロットトーン信号を算出する。【選択図】図１
2008042558.tif 000002
【特許請求の範囲】
【請求項１】
電気信号を対数変換して得られた対数信号から変調信号を検出する変調信号検出方法であって、
前記対数信号を平均して直流成分を求め、
前記対数信号から前記直流成分を除いた交流成分を求め、
前記直流成分と前記交流成分とをデジタル演算により逆対数変換してそれぞれ平均パワーと相対変動成分を算出し、
前記相対変動成分から１を減じた後前記平均パワーを乗算することにより前記変調信号を検出する
ことを特徴とする変調信号検出方法。
【請求項２】
前記対数信号をデジタル変換した後にこれを平均して前記直流成分を算出する
ことを特徴とする請求項１に記載の変調信号検出方法。
【請求項３】
前記対数信号をデジタル変換した後にこれから前記直流成分を減算して前記交流成分を算出する
ことを特徴とする請求項１または請求項２に記載の変調信号検出方法。
【請求項４】
前記対数信号からバンドパスフィルタで所定の周波数成分を抽出し、前記周波数成分をデジタル変換して前記交流成分を求める
ことを特徴とする請求項１または請求項２に記載の変調信号検出方法。
【請求項５】
前記電気信号は、変調信号が付加された信号光を受光器で受光して電気信号に変換されたものである
ことを特徴とする請求項１から請求項４のいずれか１項に記載の変調信号検出方法。
【請求項６】
変調信号が付加された信号光を受光して電気信号に変換する受光器と、
前記電気信号を対数信号に対数変換する対数変換回路と、
前記対数信号をデジタル信号に変換するＡＤ変換器と、
前記デジタル対数信号を入力してデジタル演算により直流成分と交流成分とを算出し、前記直流成分と前記交流成分とを逆対数変換してそれぞれ平均パワーと相対変動成分とを算出し、前記相対変動成分から１を減じた後前記平均パワーを乗算することにより前記変調信号を検出するデジタル処理部と、を備える
ことを特徴とする光通信用変調信号検出装置。
【請求項７】
前記デジタル処理部は、前記デジタル信号を平均して前記直流成分を算出している
ことを特徴とする請求項６に記載の光通信用変調信号検出装置。
【請求項８】
前記デジタル処理部は、前記デジタル信号から前記直流成分を減算して前記交流成分を算出している
ことを特徴とする請求項６または請求項７に記載の光通信用変調信号検出装置。
【請求項９】
前記対数信号から所定の周波数成分を抽出するバンドパスフィルタと、
前記周波数成分をデジタル変換して前記交流成分を出力する別のＡＤ変換器と、をさらに備え、
前記デジタル処理部は、前記交流成分を入力して逆対数変換することで前記相対変動成分を算出している
ことを特徴とする請求項６または請求項７に記載の光通信用変調信号検出装置。
【請求項１０】
前記デジタル処理部は、逆対数変換テーブルを備え、
前記逆対数変換テーブルを参照して前記直流成分及び前記交流成分を逆対数変換していることを特徴とする請求項６から請求項９のいずれか１項に記載の光通信用変調信号検出装置。
【請求項１１】
信号光に変調信号を付加して送信する送信装置と、
請求項６から請求項１０のいずれか１項に記載の光通信用変調信号検出装置を具備した受信装置と、を備える
ことを特徴とする光通信システム。
【請求項１２】
前記変調信号は、前記受信装置を監視または制御するためのパイロットトーン信号である
ことを特徴とする請求項１１に記載の光通信システム。
【発明の詳細な説明】
【技術分野】
【０００１】
本発明は、ＷＤＭ（波長多重）伝送による光通信システムにおいて、受信信号から変調信号を検出する変調信号検出方法、光通信用変調信号検出装置、及び光通信システムに関し、特に光信号を受光した後に対数変換された受信信号から変調信号を検出する方法及び装置に関するするものである。
【背景技術】
【０００２】
近年、データ通信需要の爆発的な増大に対応して、通信システムの大容量化、超長距離化が求められている。波長分割多重（ＷＤＭ ）伝送システムは、異なる波長の光信号でデータ伝送を行うことにより、伝送容量を飛躍的に増大させている。また、光増幅技術の進展や各種光機能デバイスの開発等により、光通信システムの超長距離化、広域化も可能となってきている。
【０００３】
これらのＷＤＭ伝送システムにおいては、それぞれの光信号の波長やレベル等を監視したり、通信システムを制御したりするために、送信側から監視あるいは制御用の信号を主信号に付加して送信することが行われている。例えば、監視または制御用の信号として、主信号に数十〜数百Ｈｚの周波数で変調信号（パイロットトーン信号）を付加して送信することがある。
【０００４】
主信号のパワーレベルを一定に制御する一手段として、パイロットトーン信号のレベルを各主信号チャネルの平均レベルと同じにし、パイロットトーン信号のレベルを一定に制御することで主信号のレベルを一定に保つようにすることができる。この方法で用いるパイロットトーン信号は、主信号の変調周波数よりもかなり低い変調周波数を有するため、ノイズの影響を受けにくく、主信号を直接制御に用いる方法に比べて、主信号の安定した出力一定制御が可能となる。
【０００５】
また、例えば光合分波器（ＯＡＤＭ）や光クロスコネクト（ＯＸＣ）などの光通信装置を制御する手段として、制御対象となる波長に対応した主信号にパイロットトーン信号を付加したり、あるいは各々の波長ごとに異なる周波数のパイロットトーン信号をそれぞれの主信号に付加したりする方法もある。このようにして、制御したい信号波長を監視して光信号の経路切替などの制御を行うことが可能となる。光伝送システムにおいて、上記のようにパイロットトーン信号を監視または制御に用いるためには、パイロットトーン信号の周波数成分や振幅成分を、歪みなく再現して検出する必要がある。
【０００６】
パイロットトーン信号を検出する従来技術として、一般的には図６に示すようなパイロットトーン信号受信回路を用いて行われている（特許文献１）。図６に示す受信回路９００では、光信号をＰＤ（Photo Diode）等の受光器９１０で受信して電気信号に変換し、この電気信号からコンデンサ９２０を用いて交流成分を抽出している。抽出した交流成分をさらに増幅回路９３０で増幅し、ローパスフィルタ（ＬＰＦ）９４０で所定の低周波成分のパイロットトーン信号を抽出している。抽出されたパイロットトーン信号は、ＡＤ変換器（ＡＤＣ）９５０でデジタル信号に変換された後、受信装置内のＣＰＵ９６０で所定の監視または制御が行われている。
【特許文献１】特開２００３−２７９９０９号公報
【発明の開示】
【発明が解決しようとする課題】
【０００７】
しかしながら、従来の変調信号を検出する方法及び装置では、以下のような課題があった。現在の光通信装置においては、ＷＤＭ伝送される光信号の波長数が増加するのに伴い、光パワーモニタのダイナミックレンジの拡大が必要になってきている。ダイナミックレンジが拡大された場合、受光信号を対数変換回路でｄＢ（デシベル）等に変換した上で信号処理が行われるのが一般的である。
【０００８】
図６に示すような従来のパイロットトーン信号受信回路において、受光器９１０で受信して、対数変換回路で上記のように対数変換した後にパイロットトーン信号を抽出するようにすると、受信信号の波形に歪みが生じてしまうといった問題があった。一例として図７に示すように、対数変換前は所定周波数成分のみであった受信信号が、対数変換により所定周波数の２倍、３倍といった高調波成分が発生してしまい、パイロットトーン信号の正確な情報が得られなくなってしまうといった問題があった。特にＷＤＭ伝送で、複数波長の信号に対しそれぞれ異なる周波数でパイロットトーン信号を付加させている場合には、上記のような高調波が発生すると、正しい波長情報がわからなくなってしまうといった問題がある。
【０００９】
また、対数変換回路とは別に、パイロットトーン信号の微弱な電流信号を検出するために、電流電圧変換回路を新たに設けることも考えられるが、光パワーモニタの誤差要因となったり、回路構成が複雑になってしまうなどの問題があった。
【００１０】
そこで、本発明はこれらの問題を解決するためになされたものであり、ＷＤＭ（波長多重）伝送による光通信システムにおいて、光信号を受光した後に対数変換された受信信号から変調信号を正確に検出する変調信号検出方法、光通信用変調信号検出装置、及び光通信システムを提供することを目的とする。
【課題を解決するための手段】
【００１１】
本発明の変調信号検出方法の第１の態様は、電気信号を対数変換して得られた対数信号から変調信号を検出する変調信号検出方法であって、前記対数信号を平均して直流成分を求め、前記対数信号から前記直流成分を除いた交流成分を求め、前記直流成分と前記交流成分とをデジタル演算により逆対数変換してそれぞれ平均パワーと相対変動成分を算出し、前記相対変動成分から１を減じた後前記平均パワーを乗算することにより前記変調信号を検出することを特徴とする。
【００１２】
本発明の変調信号検出方法の他の態様は、前記対数信号をデジタル変換した後に、これを平均して前記直流成分を算出することを特徴とする。
【００１３】
本発明の変調信号検出方法の他の態様は、前記対数信号をデジタル変換した後に、これから前記直流成分を減算して前記交流成分を算出することを特徴とする。
【００１４】
本発明の変調信号検出方法の他の態様は、前記対数信号からバンドパスフィルタで所定の周波数成分を抽出し、前記周波数成分をデジタル変換して前記交流成分を求めることを特徴とする。
【００１５】
本発明の変調信号検出方法の他の態様は、前記電気信号が、変調信号が付加された信号光を受光器で受光して電気信号に変換されたものであることを特徴とする。
【００１６】
本発明の光通信用変調信号検出装置の第１の態様は、変調信号が付加された信号光を受光して電気信号に変換する受光器と、前記電気信号を対数信号に対数変換する対数変換回路と、前記対数信号をデジタル信号に変換するＡＤ変換器と、前記デジタル対数信号を入力してデジタル演算により直流成分と交流成分とを算出し、前記直流成分と前記交流成分とを逆対数変換してそれぞれ平均パワーと相対変動成分とを算出し、前記相対変動成分から１を減じた後前記平均パワーを乗算することにより前記変調信号を検出するデジタル処理部と、を備えることを特徴とする。
【００１７】
本発明の光通信用変調信号検出装置の他の態様は、前記デジタル処理部が、前記デジタル信号を平均して前記直流成分を算出していることを特徴とする。
【００１８】
本発明の光通信用変調信号検出装置の他の態様は、前記デジタル処理部が、前記デジタル信号から前記直流成分を減算して前記交流成分を算出していることを特徴とする。
【００１９】
本発明の光通信用変調信号検出装置の他の態様は、前記対数信号から所定の周波数成分を抽出するバンドパスフィルタと、前記周波数成分をデジタル変換して前記交流成分を出力する別のＡＤ変換器と、をさらに備え、前記デジタル処理部が、前記交流成分を入力して逆対数変換することで前記相対変動成分を算出していることを特徴とする。
【００２０】
本発明の光通信用変調信号検出装置の他の態様は、前記デジタル処理部が、逆対数変換テーブルを備え、前記逆対数変換テーブルを参照して前記直流成分及び前記交流成分を逆対数変換していることを特徴とする。
【００２１】
本発明の光通信システムの第１の態様は、信号光に変調信号を付加して送信する送信装置と、上記のいずれかの光通信用変調信号検出装置を具備した受信装置と、を備えることを特徴とする。
【００２２】
本発明の光通信システムの他の態様は、前記変調信号が、前記受信装置を監視または制御するためのパイロットトーン信号であることを特徴とする。
【発明の効果】
【００２３】
本発明によれば、ＷＤＭ（波長多重）伝送による光通信システムにおいて、光信号を受光した後に対数変換された受信信号から変調信号を正確に検出する変調信号検出方法、光通信用変調信号検出装置、及び光通信システムを提供することができる。
光パワーモニタのダイナミックレンジが拡大されても、対数変換された受信信号を高精度に逆対数変換することで、高調波成分を除去してパイロットトーン信号の周波数成分や振幅成分を簡易な構成で正確に抽出することが可能となる。
【発明を実施するための最良の形態】
【００２４】
本発明の好ましい実施の形態における変調信号検出方法、光通信用変調信号検出装置、及び光通信システムについて、図面を参照して詳細に説明する。なお、同一機能を有する各構成部については、図示及び説明簡略化のため、同一符号を付して示す。
【００２５】
本発明の変調信号検出方法では、パワーレベルが大きく異なる主信号と変調信号とを別々に処理するようにしており、対数変換された信号（以下では対数信号という）を直流成分と交流成分とに分けて高精度に逆対数変換することで高調波成分を除去し、逆対数変換されたデータから変調信号の情報を正確に検出するようにしている。本発明の変調信号検出方法に係る実施形態を、図１に示す流れ図と数式を用いて説明する。
【００２６】
図１の流れ図において、受光器で受信された光信号は、ここで電気信号に変換される（ステップＳ１）。光信号の平均パワーをＡ［ｍＷ］とし、パイロットトーン信号の変調周波数をｆ［Ｈｚ］、変調率をαとしたとき、パイロットトーン信号が付加された光信号は、
Ａ｛１＋αsin（ωｔ）｝＝Ａ＋Ａαsin（ωｔ）  ［ｍＷ］            式（１）
と表わすことができる。ただし、
ω＝2πｆ  ［ｒａｄ／ｓ］
である。ここで、パイロットトーン信号成分は、
Ａαsin（ωｔ）  ［ｍＷ］
である。
【００２７】
式（１）で表わされる光信号は、電気信号に変換された後対数変換回路で次式のように対数変換される（ステップＳ２）。
10log［Ａ｛１＋αsin（ωｔ）｝］＝10log（Ａ）＋10log｛１＋αsin（ωｔ）｝  ［ｄＢｍ］
式（２）
【００２８】
式（２）で表わされる対数変換後の信号を平均化すると、式（２）の右辺第２項がキャンセルされて、直流成分である
10log（Ａ）  ［ｄＢｍ］                                        式（３）
のみを抽出することができる（ステップＳ３）。これは、受信した光信号の平均パワーＡ［ｍＷ］を対数変換したものとなっている。
【００２９】
一方、式（２）の対数変換後の信号から式（３）で表わされる直流成分を除くと、交流成分である
10log｛１＋αsin（ωｔ）｝  ［ｄＢｍ］                          式（４）
を抽出することができる（ステップＳ４）。式（４）の交流成分は、式（２）から式（３）を減算することによって算出することができる。あるいは、式（２）で表わされる対数変換後の信号から、所定のバンドパスフィルタ（ＢＰＦ）を用いて式（４）で表わされる交流成分のみを直接取得するようにすることも可能である。
【００３０】
式（４）で表わされる交流成分を逆対数変換すると、
１＋αsin（ωｔ）                                              式（５）
なる相対変動成分が得られる（ステップＳ５）。これは、式（１）で表わされる光信号のパワーＡ［ｍＷ］を１に規格化したときの相対的な変動成分を表わしている。交流成分を逆対数変換して得られた式（５）の相対変動成分から、１を減算することで
αsin（ωｔ）                                                    式（６）
が得られる（ステップＳ６）。これは、パイロットトーン信号の相対的な変動成分を示している。
【００３１】
また、式（３）の直流成分を逆対数変換すると、光信号の平均パワー
Ａ  ［ｍＷ］                                                    式（７）
が得られる（ステップＳ７）。式（６）で表わされるパイロットトーン信号の相対的な変動成分に光信号のパワーＡを掛けることで、パイロットトーン信号を算出することができる（ステップＳ８）。
Ａαsin（ωｔ）  ［ｍＷ］                                        式（８）
上記の通り、本発明の変調信号検出方法によれば、対数信号を直流成分と交流成分とに分けて高精度に逆対数変換し、逆対数変換されたデータから変調信号の情報を正確に検出することが可能となる。
【００３２】
上記の本発明の変調信号検出方法を用いた、本発明の光通信用変調信号検出装置の第１の実施の形態を、図２の実施例を用いて説明する。図２は、本実施形態の光通信用変調信号検出装置１００の構成を示すブロック図である。
【００３３】
パイロットトーン信号が付加された光信号１０は、受光器であるフォトダイオード（ＰＤ）１１０で受光されて電気信号１１に変換され（図１のステップＳ１の処理、以下同じ）、さらに対数変換回路１２０で対数信号１２に変換される（ステップＳ２の処理）。対数信号１２は、ＡＤ変換器（ＡＤＣ）１３０でデジタル信号１３に変換された後に、デジタル処理部１４０に入力される。デジタル処理部１４０として、ＣＰＵやＦＰＧＡ（Field Programmable Gate Array）、ＤＳＰ（Digital Signal Processor）などを用いることができる。
【００３４】
本実施形態の光通信用変調信号検出装置１００では、対数変換回路１２０で変換された対数信号１２を、ＡＤ変換器１３０で直ちにデジタル変換し、以降の処理をすべてデジタル処理部１４０で行うようにしている。デジタル処理部１４０においてパイロットトーン信号を検出するまでの処理手順を、図３に示すブロック図を用いて説明する。
【００３５】
デジタル処理部１４０に入力されたデジタル信号１３は、平均値算出部１４１で平均化されて、式（３）に示すデジタル信号１３の直流成分１４を算出する（ステップＳ３の処理）。また、デジタル信号１３は加算部１４２にも送られ、加算部１４２でデジタル信号１３と平均値算出部１４１算出された直流成分１４をマイナスにした値とを加算し、式（４）に示す交流成分１５を算出する（ステップＳ４の処理）。すなわち、デジタル信号１３から直流成分１４を減算することで、交流成分１５を算出している。
【００３６】
算出された交流成分１５は、逆対数変換部１４３で逆対数変換され、式（５）に示す相対変動成分１６が算出される（ステップＳ５の処理）。さらに、算出された相対変動成分１６を加算部１４４に入力し、ここで相対変動成分１６から１を減算する（ステップＳ６の処理）．これにより、式（６）に示すパイロットトーン信号の相対的な変調成分１７が得られる。
【００３７】
一方、平均値算出部１４１で算出された直流成分１４は、逆対数変換部１４５で逆対数変換され、式（７）に示す光信号の平均パワー１８が算出される（ステップＳ７の処理）。そして、乗算部１４６において、加算部１４４で算出されたパイロットトーン信号の相対的な変調成分１７に、逆対数変換部１４５で算出された光信号の平均パワー１８を掛けることで、式（８）に示すパイロットトーン信号２０を算出することができる（ステップＳ８の処理）。
【００３８】
なお、デジタル処理部１４０における演算が固定小数点演算の場合には、逆対数変換部１４３及び１４５における逆対数変換の演算を行うことが困難であることも考えられるが、この場合には、逆対数変換値をテーブル形式のデータにして事前にデジタル処理部１４０のメモリに持たせるようにすることができる。この逆対数変換テーブルを用いて、直流成分１４あるいは交流成分１５の値に対応する逆対数変換値を参照して求めることができる。また、直流成分１４あるいは交流成分１５の値に一致するデータが逆対数変換テーブルにない場合には、これに近いデータを内挿あるいは適切な関数で近似して算出するようにすることも可能である。これにより、直流成分１４及び交流成分１５の逆対数変換を高精度に行うことが可能となる。
【００３９】
上記の通り、パワーレベルが大きく異なる主信号と変調信号とからなる光信号１０を対数変換した対数信号１２では、直流成分１４と交流成分１５との桁数も大きく異なることから、本実施形態の光通信用変調信号検出装置１００では、デジタル処理部１４０において直流成分１４と交流成分１５とを別々に逆対数変換するようにしている。これにより、固定小数点演算における桁落ちによる誤差を極力小さくすることができ、パイロットトーン信号２０を高精度に算出することが可能となる。
【００４０】
本発明の光通信用変調信号検出装置の第２の実施形態を、図４に示す実施例を用いて説明する。図４は、本実施形態の光通信用変調信号検出装置２００の構成を示すブロック図である。光信号１０がフォトダイオード１１０で受光された後に対数変換回路１２０で対数信号１２に変換されるまでは第１の実施形態と同じであるが、本実施形態では、対数信号１２を２経路で別々に処理するようにしている。
【００４１】
すなわち、一方の経路では、第１の実施形態と同様に対数信号１２をＡＤ変換器２１０でデジタル信号１３に変換した後に、デジタル処理部２２０に入力している。また、他方の経路にはバンドパスフィルタ（ＢＰＦ）２３０を設け、ここで対数信号１２から変調信号に対応する所定の周波数成分１９を抽出するようにしている（ステップＳ４の処理）。そして、所定の周波数成分１９をＡＤ変換器２４０でデジタル変換して対数信号１２の交流成分１５を求め、これをデジタル処理部２２０に入力するようにしている。本実施形態の光通信用変調信号検出装置２００では、交流成分１５を先に求めておき、これをデジタル信号１３とともにデジタル処理部２２０に入力するようにしている。
【００４２】
上記の通り、本実施形態ではデジタル変換する前に高周波成分１９を抽出するようにしており、直流成分を含む対数信号１２と、これよりパワーレベルが大幅に低い高周波成分１９とを、別々のＡＤ変換器２１０と２４０とに入力させるようにしたことから、ＡＤ変換器２１０及び２４０に対してそれぞれ最適な分解能を個別に設定することが可能となる。これにより、ＡＤ変換器２１０、２４０における量子化（デジタル化）に伴う量子誤差を極力低く抑えることが可能となる。その結果、デジタル処理部２２０において、より正確にパイロットトーン信号２０を算出することが可能となる。
【００４３】
本実施形態におけるデジタル処理部２２０での処理手順を、図５に示すブロック図を用いて説明する。本実施形態のデジタル処理部２２０は、上記説明の通り、デジタル信号１３と交流成分１５との２つのデジタルデータを入力している。まず、デジタル信号１３は図３に示す実施例と同様に、平均値算出部２２１で平均化されて、式（３）に示すデジタル信号１３の直流成分１４を算出する（ステップＳ３の処理）。平均値算出部２２１で算出された直流成分１４は、逆対数変換部２２２で逆対数変換され、式（７）に示す光信号のパワー１８が算出される（ステップＳ７の処理）。
【００４４】
一方、デジタル処理部２２０に入力された別のデジタルデータである交流成分１５は、逆対数変換部２２３で逆対数変換され、式（５）に示す相対変動成分１６が算出される（ステップＳ５の処理）。さらに、算出された相対変動成分１６を加算部２２４に入力し、ここで相対変動成分１６から１を減算する（ステップＳ６の処理）．これにより、式（６）に示すパイロットトーン信号の相対的な変調成分１７が得られる。
【００４５】
最後に、乗算部２２５において、加算部２２４で算出されたパイロットトーン信号の相対的な変調成分１７に、逆対数変換部２２２で算出された光信号の平均パワー１８を掛けることで、式（８）に示すパイロットトーン信号２０を算出することができる（ステップＳ８の処理）。
【００４６】
上記の本実施例においても、デジタル処理部２２０における演算が固定小数点演算の場合には、第１の実施形態の場合と同様に、逆対数変換部２２２及び２２３の演算に逆対数変換テーブルを用いて、直流成分１４及び交流成分１５の逆対数変換を高精度に行うことが可能である。
【００４７】
上記のように、本発明の変調信号検出方法及び光通信用変調信号検出装置では、パワーレベルが大きく異なる主信号と変調信号とを分けて処理するようにしており、対数変換された信号を直流成分と交流成分に分け、それぞれを高精度に逆対数変換することで高調波成分を除去するようにしている。これにより、逆対数変換されたデータから変調信号の情報を正確に検出することが可能となっている。
【００４８】
また、信号光に変調信号を付加して送信する送信装置を備え、少なくとも本発明の光通信用変調信号検出装置を具備した受信装置を配置することにより、本発明の光通信システムを構築することができる。信号光に付加される変調信号は、例えば受信装置を監視または制御するためのパイロットトーン信号とすることができる。
【００４９】
なお、本実施の形態における記述は、本発明に係る変調信号検出方法、光通信用変調信号検出装置、及び光通信システムの一例を示すものであり、これに限定されるものではない。本実施の形態における変調信号検出方法、光通信用変調信号検出装置、及び光通信システムの細部構成及び詳細な動作等に関しては、本発明の趣旨を逸脱しない範囲で適宜変更可能である。
【図面の簡単な説明】
【００５０】
【図１】本発明の変調信号検出方法に係る実施形態を示す流れ図である。
【図２】本発明の光通信用変調信号検出装置に係る第１の実施形態の構成を示すブロック図である。
【図３】第１の実施形態のデジタル処理部における処理手順を示すブロック図である。
【図４】本発明の光通信用変調信号検出装置に係る第２の実施形態の構成を示すブロック図である。
【図５】第２の実施形態のデジタル処理部における処理手順を示すブロック図である。
【図６】従来のパイロットトーン信号を検出するための受信回路を示すブロック図である。
【図７】従来のパイロットトーン信号の検出方法における変調成分の周波数スペクトルである。
【符号の説明】
【００５１】
１０      光信号
１１      電気信号
１２      対数信号
１３      デジタル信号
１４      直流成分
１５      交流成分
１６      相対変動成分
１７      相対的な変調成分
１８      平均パワー
１９      所定の周波数成分
２０      パイロットトーン信号
１００    光通信用変調信号検出装置
１１０    フォトダイオード
１２０    対数変換回路
１３０、２１０、２４０  ＡＤ変換器
１４０、２２０  デジタル処理部
１４１、２２１  平均値算出部
１４２、２２４  加算部
１４３、１４５、２２２、２２３  逆対数変換部
１４４    加算部
１４６    乗算部
２３０    バンドパスフィルタ
９００    受信回路
９１０    受光器
９２０    コンデンサ
９３０    増幅回路
９４０    ローパスフィルタ
９５０    ＡＤ変換器
９６０    ＣＰＵ 
【図１】
2008042558.tif 000003
【図２】
2008042558.tif 000004
【図３】
2008042558.tif 000005
【図４】
2008042558.tif 000006
【図５】
2008042558.tif 000007
【図６】
2008042558.tif 000008
【図７】
2008042558.tif 000009